(57)【要約】【課題】美観にすぐれた競技面を提供することができ、かつラインの敷設安定性に優れた、人工芝或いは天然芝用ラインを提供することを目的とする。また、ラインの上面と周囲の人工芝面或いは天然芝面との間に段差をほとんど生じさせず、競技へ支障をきたしにくい人工芝或いは天然芝用ラインを提供することを目的とする。【解決手段】シート状基材２の上面側に、人工芝面或いは天然芝面の色と明瞭な区別ができる着色がなされた人工芝糸１１が植設された人工芝糸面１１と、前記シート状基材２の下面側に、複数の係合素子８が立設されたファスナー面３とを備え、前記係合素子８は、人工芝面或いは天然芝面に係合可能に先端部８ａが形成された合成高分子モノフィラメントで形成されており、係合素子８の茎部８ｂが略直線形状であり、係合素子８が設けられたシート状基材２下面に対して６０〜８５度の角度に傾斜しており、係合素子８同士が交差するように設けられている、人工芝或いは天然芝用ラインとする。【選択図】        図１
2005188054.tif 000002
【特許請求の範囲】
【請求項１】
シート状基材の上面側に、人工芝面或いは天然芝面の色と明瞭な区別ができる着色がなされた人工芝糸が植設された人工芝糸面と、前記シート状基材の下面側に、複数の係合素子が立設されたファスナー面とを備え、前記係合素子は、人工芝面或いは天然芝面に係合可能に先端部が形成された合成高分子モノフィラメントで形成されており、係合素子の茎部が略直線形状であり、係合素子が設けられたシート状基材下面に対して６０〜８５度の角度に傾斜している、人工芝或いは天然芝用ライン。
【請求項２】
人工芝面或いは天然芝面に圧設施工した際に、人工芝糸面の上面が人工芝面或いは天然芝面とほぼ同じ高さになる請求項１記載の人工芝或いは天然芝用ライン。
【発明の詳細な説明】
【技術分野】
【０００１】
本発明は、人工芝或いは天然芝用ラインに関し、詳しくは、着色人工芝糸を植設した自然な美観を有する人工芝或いは天然芝用ラインに関する。
【背景技術】
【０００２】
従来、人工芝にラインを引く方法としては人工芝の表面に塗料等で着色する方法、石膏や着色した砂を引く方法、あるいはラインとなる部分に別の色の人工芝を配設する方法等が行われていた。このうち、最も一般的な方法である人工芝の表面を塗料等で着色する方法は、きれいなライン状に塗布することは容易ではない。さらに、塗布後は、競技者の足の強い接触に遭うと塗料が剥がれやすい一方で、競技終了でラインを消したいとき、他のラインへの変更等のためにこの塗料を取り除きたいとき、取り除き作業は困難で跡が残ってしまう。
【０００３】
また、石膏や着色した砂を引くのは、真っ直ぐなラインを引くことに熟練を有し、敷設に手間がかかるという問題があった。さらに、ラインとして別色の人工芝を配設するのは施工上極めて手間のかかる作業であり、ラインの変更は容易ではないという問題もある。
【０００４】
このような状況下、近年、上面が着色されたシート状基材に人工芝面或いは天然芝面に係合可能な係合素子を有する合成重合体モノフィラメント群を立設した人工芝用ラインテープが使用され始めている（例えば、特許文献１参照）。
【０００５】
かかる人工芝用ラインテープは人工芝面或いは天然芝面への着脱が容易なために、例えば次のような多くの利点を有する。
【０００６】
誰でも簡単に真っ直ぐなラインをきれいに引くことができる。ラインの位置の変更、別の色のラインへの変更も自在である。競技終了後、巻き取るだけで跡が残らず、収納も簡単で場所をとらない。どんな種目、イベントにも対応可能であり、何度でも繰り返し使える。また、長期使用で劣化したの交換も容易である。  このため、人工芝或いは天然芝用ラインテープを用いることは、とくに、種々の競技や球技あるいはイベントに多目的に使用される競技場、球技場の人工芝にラインを引く方法として極めて有用である。
【０００７】
人工芝或いは天然芝用ラインテープは、競技者の足の強い接触に遭っても剥がれたり、移動したりすることのないよう、配設芝面に均一にしっかり係合させる必要があり、人の体重等により、あるいは圧接手段を有する器具により、上から強く押しつけることによって敷設される。
【０００８】
しかし、その際、ラインテープ配設部位の下の人工芝は寝てしまい、ラインテープの上面は周囲の人工芝面或いは天然芝面より低くなって、段差ができることがある。このような段差があると、例えば、球技において、オンラインしたボールの方向が変わるなど、競技の進行に重大な影響を及ぼすことがある。
【０００９】
また、その段差が大きい場合は、競技者が遠くから見る時に、ラインテープの一部が隠れて、ラインが細く見えてわかりにくくなり、競技上の不都合につながる場合もある。
【００１０】
さらには、ラインテープの平滑な面は周囲の人工芝と外観上大きな隔たりがあるため、競技面全体として自然な美観において劣っていた。
【００１１】
また、人工芝用ラインは、貼り合わせおよび剥離が簡便である一方で、固定性、あるいは安定性がより重視される場合も多く、より係合力に優れた人工芝用ラインが求められていた。人工芝用ラインテープとしては例えば特許文献２などが知られている。
【００１２】
【特許文献１】特開２００１−８１７１６号公報
【特許文献２】特開２００３―３４１５号公報
【発明の開示】
【発明が解決しようとする課題】
【００１３】
かかる状況において、本発明の目的とするところは、美観にすぐれた競技面を提供することができ、かつラインの敷設安定性に優れた、人工芝或いは天然芝用ラインを提供することにある。
また、本発明は、ラインの上面と周囲の人工芝面或いは天然芝面との間に段差をほとんど生じさせず、競技へ支障をきたしにくい人工芝或いは天然芝用ラインを提供することを目的とする。
【課題を解決するための手段】
【００１４】
本発明は上記目的を達成するために次の構成を備えている。
すなわち、シート状基材の上面側に、人工芝面或いは天然芝面の色と明瞭な区別ができる着色がなされた人工芝糸が植設された人工芝糸面と、前記シート状基材の下面側に、複数の係合素子が立設されたファスナー面とを備え、前記係合素子は、人工芝面或いは天然芝面に係合可能に先端部が形成された合成高分子モノフィラメントで形成されており、係合素子の茎部が略直線形状であり、係合素子が設けられたシート状基材下面に対して６０〜８５度の角度に傾斜している、人工芝或いは天然芝用ラインである。本発明の人工芝或いは天然芝用ラインにおいては、人工芝面或いは天然芝面に圧設施工した際に、人工芝糸群の上面が人工芝面或いは天然芝面とほぼ同じ高さになることが好ましい。
【発明の効果】
【００１５】
本発明により、美観にすぐれた競技面を提供することができ、かつラインの敷設安定性に優れた、人工芝或いは天然芝用ラインを提供される。また、本発明によれば、ラインの上面と周囲の人工芝面或いは天然芝面との間に段差をほとんど生じさせず、競技へ支障をきたしにくい人工芝或いは天然芝用ラインを提供することができる。
【発明を実施するための最良の形態】
【００１６】
以下に、本発明にかかる人工芝生用ラインの実施形態の例を図面に基づいて詳細に説明する。なお、発明は、下記実施形態に限定されるものではない。
【００１７】
以下、本発明の人工芝或いは天然芝用ラインについて、一実施形態を示す図１から図５を参照しながら詳細に説明する。
【００１８】
図１に例示するように、本実施形態の人工芝或いは天然芝用ライン１は、シート状基材２の上面側に、人工芝面或いは天然芝面の色と明瞭な区別ができる着色がなされた人工芝糸１１が植設された人工芝糸面１２と、前記シート状基材２の下面側に、複数の係合素子８が立設されたファスナー面３とを備える。シート基材２は、人工芝面或いは天然芝面基材７およびファスナー面基材９を貼り合わせて構成されている。また、図１に示すように、人工芝或いは天然芝用ライン１は、雄ファスナー面を下面として、人工芝６が植設された人工芝面或いは天然芝面５に押圧して係合させることができる。人工芝面或いは天然芝面５はもともとグランドに敷設されたものであり、人工芝面或いは天然芝面基材７の上に人工芝６が植設されており、他方、人工芝面或いは天然芝面基材７の下層にはクッションとなる裏面コーティング層が設けられている。
【００１９】
本実施形態の人工芝或いは天然芝用ライン１において、シート状基材２の下面側に立設された、人工芝面或いは天然芝面に係合可能に先端部が加工された合成高分子モノフィラメントからなる係合素子を備えたファスナー面３とは、次のようなものである。
【００２０】
図１〜５に示す例における、合成高分子モノフィラメントの人工芝面或いは天然芝面５に係合可能な先端係合部８ｂの形状は、マッシュルーム形状を有する。但し、本発明としては、マッシュルーム形状やフック形状など、人工ラインを敷設しようとする人工芝面或いは天然芝面５に係合可能な形状であれば、係合部の形状に特に限定はない。先端係合部８ｂの寸法は、各形状に応じて、人工芝面或いは天然芝面に貫通しやすく、かつ、はずれにくいよう決められる。人工芝或いは天然芝用ライン１を人工芝面或いは天然芝面５に圧接すると、先端係合部８ｂは人工芝面或いは天然芝面５に入り込み、押し潰された人工芝６あるいは人工芝面或いは天然芝面５を構成する人工芝或いは天然芝用基材７のどこかで絡んで係合する。
【００２１】
人工芝或いは天然芝用ライン１と人工芝面或いは天然芝面５との係合を強くするには、合成高分子モノフィラメントの茎部８は太く、長くして、人工芝面或いは天然芝面の奥までモノフィラメントの先端係合部８ｂを到達させ、また、モノフィラメントの立設密度を高くすることが考えられるが、太くすると立設密度が制限され、細く長くすると曲げ強度が小さくなって人工芝面或いは天然芝面５に貫通できず、立設密度を高くしすぎるとやはり人工芝面或いは天然芝面５に貫通しにくくなる。さらに、人工芝或いは天然芝用ライン１の収納を考慮すると、柔軟性も要求される。これらの制限要素を考慮すると、係合素子としてのモノフィラメントの寸法、立設密度等は、通常、次のような範囲で選択されるのが好ましい。
【００２２】
係合素子８としての先端加工モノフィラメントの高さとしては、５ｍｍ以上２０ｍｍ以下が好ましい。人工芝６が長いパイルと短いループの２段植毛構造になっている場合に、短いループ状の芝にも絡まることができるために少なくとも５ｍｍ以上であることが有利であり、ライン敷設時の係合素子モノフィラメントの湾曲を少なくするために２０ｍｍ以下であることが好ましい。
【００２３】
係合素子８としての先端加工モノフィラメントの高さ（Ｌ）とモノフィラメント茎部直径（Ｄ）の比Ｌ／Ｄは、７≦Ｌ／Ｄ≦４０の範囲にあることが好ましい。通常、３００〜１００００デニールのモノフィラメントが使用できる（図２参照）。
【００２４】
係合素子としての先端加工モノフィラメントの立設密度は、被係合体となる人工芝６のパイルの密度や開繊状態等によって異なるが、必要な係合力を得るために、通常、１ｃｍ2当り２〜５０本の範囲で選ばれる。
【００２５】
合成高分子モノフィラメントの材質は、適度な弾性を有する材料であれば、特に限定されない。製造上の点から考慮すると、溶融紡糸可能な熱可塑性高分子が好ましく、ポリオレフィン、ポリアミド、ポリエステルが挙げられる。加工性の点からは、ポリオレフィン、特にポリプロピレンが好ましい。
【００２６】
モノフィラメントの断面形状は、多角形であっても円形状であってもよい。多角形の場合中心からの対称形が好ましい。また、断面形状としては、略円形状であることが特に好適である。偏平断面、半円形断面、などの特殊異形断面糸は立没突起とした場合、熱応力等で屈曲を生じ易いという点で好ましくない。
【００２７】
本発明に用いる合成高分子モノフィラメントは、樹脂に対して約０．１〜５重量％のカーボンブラックを配合して耐候性を高めてあることが好ましく、紫外線吸収剤をカーボンブラックの約１／１０量同時に添加しておくと、さらに耐候性が強化される。
【００２８】
本発明の人工芝或いは天然芝用ラインに設けられる係合素子は、さらに次のような特徴を有する。すなわち、ファスナー面に設けられる係合素子は、係合素子の茎部が略直線形状であり、係合素子が設けられた基材表面に対して６０〜８５度の角度に傾斜しており、係合素子同士が交差するように設けられる。
【００２９】
図３の係合素子の部分を拡大図に示す実施形態例では、シート状基材９は織布で形成され、係合素子８は基材２に織り込まれて、２つの係合素子８１および８２が形成されている。図４に示す人工芝或いは天然芝用ラインでは、図３に示すような係合素子８１および８２の組み合わせが多数設けられて構成されている。
【００３０】
係合素子８１等はその茎部８ｂの形状が略直線状であり、またシート状基材９の下面に対して茎部８ｂが傾斜して設けられており、その傾斜角度αは好ましくは、６０〜８５度、より好ましくは６５〜７７度、さらに好ましくは約７０度である。このような傾斜角をもたせることにより、人工芝或いは天然芝用ラインの係合力を向上させることができる。
【００３１】
また、図４などに示すように本実施形態においては、複数の係合素子８のそれぞれの傾斜方向は、すべて一方方向に平行に揃えるのではなく、係合素子同士が交差するように備えられている。ここでいう交差するというのは、すべての係合素子を平行になるように同一方向、同一角度に傾斜させるのではないという意味である。交差するということには、図３などに示されるように各係合素子の仮想延長線Ｍが相互に交差する場合が含まれる。また、各係合素子同士は直接接触しないことが望ましい。
【００３２】
図４などに示すように、本実施形態においては、Ｘ方向に相互に並ぶ係合素子４が、交互に交差するように設けられており、Ｙ方向の係合素子同士の位置関係は任意に調整可能である。なお図４は、人工芝ラインの下面側を上向きにした状態で示している。
【００３３】
本発明の人工芝或いは天然芝用ライン１のシート状基材２において、係合素子としての先端加工モノフィラメントを備えたファスナー面３側のシート状基材９としては、織物であれば特に制限はない。織物であることによりシート状基材９自体に柔軟性が与えられ、対象物との密着性が付与される。シート状基材９の厚みは、約０．３〜３ｍｍであることが好ましい。シート状基材９の材料としては、ナイロン、ポリエステル、アクリロニトリル、ポリプロピレン、ポリエチレンなどが用いられるが、なかでも、ナイロン、ポリエステルは、柔軟性、加工性に優れるので好ましい。また、ポリエステルは水分による伸び率が小さいので、雨天、散水を考慮した場合、特に好ましく用いられる。
【００３４】
なお、図１などに示す人工芝或いは天然芝用ライン１のファスナー面３側のシート状基材９は、その上にウレタン樹脂、アクリル系エマルジョンなどの裏面コーティング層（不図示）を有することも好ましい形態として提示される。コーティングすることにより、係合素子としての先端加工モノフィラメントが基布９に固定されるとともに、基布９自体を、柔軟性を有しつつ、強固なものとすることができる。なお、人工芝ラインの被係合側にあたる人工芝５の下層部には、クッションとしての機能を併せ持つ裏面コーティング層１０が設けられている。
【００３５】
また、コーティング剤に、顔料、蛍光染料などを用いて着色加工でき、本発明の場合、後述の人工芝糸１１を着色するのと同じ染顔料で着色することで、ライン１の色を濃く、際立たせることができるので好ましい。
【００３６】
係合素子としての先端加工モノフィラメントをシート状基材９に立設した、本発明の人工芝或いは天然芝用ライン１のファスナー面３の製造は、二重パイル織機を用いて、モノフィラメントをパイルとして織り付けた後、十分な熱セットを行なうことによってパイル倒れしにくいものとする。その後、面分割し、最後にモノフィラメント先端を溶融加熱して、先端係合部８ｂ（図３など参照）を形成する。
【００３７】
本発明の特徴は、例えば図１などに示すように、人工芝或いは天然芝用ライン１の上面に人工芝面或いは天然芝面の色と明瞭な区別ができる着色がなされた人工芝糸１１を植設したことにある。また、人工芝面或いは天然芝面に圧設施工した際に、人工芝糸面の上面が人工芝面或いは天然芝面とほぼ同じ高さになるように、人工芝糸の長さを調製することにより、周囲の人工芝面或いは天然芝面との間に段差をほとんど生じさせず、美観にすぐれた競技面を提供する人工芝或いは天然芝用ライン１を提供することができる。
【００３８】
したがって、本発明の人工芝或いは天然芝用ライン１の上面に植設される人工芝糸１０は、白色、その他、人工芝面或いは天然芝面の色と明瞭な区別ができる着色がなされていること、及び、周囲の人工芝面或いは天然芝面との間に段差をほとんど生じさせない長さのものであることの２つを満たすことを条件に、従来公知の人工芝糸が使用することができる。
【００３９】
競技場等の人工芝糸としては、柔軟性からポリプロピレン繊維等のポリオレフィン系繊維のスプリットヤーンモノフィラメントが多用され、人工芝面或いは天然芝面の高さは、通常、２０〜７０ｍｍである。
【００４０】
本発明に使用する人工芝糸は、その目的からして外観、寸法を問題とするものであるから、安価なポリオレフィン系モノフィラメントでよく、見た目の着色度を上げる点から植設密度が人工芝面或いは天然芝面と同等であることが好ましい。着色はモノフィラメント製造時に行われ、白色、その他有色顔料、あるいは螢光染料、蓄光顔料等が樹脂に混練される。
【００４１】
図１に示す実施形態例において、人工芝糸１１から形成される人工芝糸面１２の高さは、従来の人工芝用ラインを人工芝面或いは天然芝面に圧着したときの周囲芝面からの沈み込み段差とほぼ同等の高さであることが望ましい。人工芝面或いは天然芝面の人工芝の高さは、通常、５０〜７０ｍｍであるが、芝目内に砂やゴムチップなどの充填材を入れたものもある。それら人工芝面或いは天然芝面の構成、物性によって上からの圧力に対する沈み込み段差は異なってくるが、通常、０〜２０ｍｍの範囲である。したがって、この範囲の中で数種類の人工芝糸面１２の高さの人工芝或いは天然芝用ライン１を用意することにより、各種人工芝面或いは天然芝面に対応することができる。
【００４２】
本発明において、人工芝糸は、シート状基材上に任意の方法で植設される。例えば、図１に示すように、人工芝糸１１束に接着剤をつけてシート状基材７上に植設固定してもよく、下側ファスナー面のシート状基材９とは別のシート状基材７に人工芝糸束を織り付けて接着固定してもよい。接着剤としてはシート状基材より低融点のオレフィン系熱可塑性樹脂や、シート状基材の裏面コーティング層ともなる、合成ゴムラテックス、アクリル系エマルジョン、エポキシウレタンなどのウレタン樹脂、あるいは、水性アクリルなどを用いることができる。
【００４３】
本発明の人工芝或いは天然芝用ラインは、図１などに示す実施形態のように、下側ファスナー面３を製造した後、シート状基材２に人工芝糸１１を植設してもよく、下側ファスナー面３と上側人工芝糸面１２とを別々に製造してそれらを貼り合わせてもよい。
【００４４】
このようにつくられた面状品を一定の規格巾にスリットすることにより、本発明の人工芝或いは天然芝用ライン１ができあがる。規格巾は、５０〜２００ｍｍの間で決められる。
【００４５】
本発明の人工芝或いは天然芝用ラインは、例えば、サッカー、フットサル、テニス、ゲートボール、野球、ソフトボール、グランドホッケー、バトミントン、ソフトバレー、ペタンク、ドッチボール、陸上トラック、バレーボール等の競技場、球技場におけるスポーツ用コートに用いられる。また、その他にも、それら人工芝競技場等で、各種イベントが行われる場合にも用いられる。５０ｍｍのラインテープはテニス、ゲートボールなどのラインに、２００ｍｍはサッカーなどのラインに用いることができる。
【００４６】
本発明の人工芝或いは天然芝用ラインは、専用競技場に用いてもその利点が生かせるが、多目的に使用される競技場等において特に有用である。
【００４７】
なお、本発明の人工芝或いは天然芝用ラインを使用できる人工芝は、特に限定されないが、例えばパイル糸タイプの場合は、２０〜２００デニールの円形断面，フラットヤーンなどのタイプにも適用できるが、ループパイル製品に最も好ましく使用される。
【００４８】
本発明の人工芝或いは天然芝用ラインを人工芝に敷設するにおいては、人の体重等による上からの押しつけによって敷設できるが、圧着ローラや、振動式圧着ローラであるバイブレータを用いるとより効率的に敷設できる。バイブレータとしては、例えばアスファルトの転圧、整形用のバイブロプレートが挙げられる。
【実施例】
【００４９】
１．雄面ファスナーの製造
ナイロン製織布を基材布として用い、立設するモノフィラメントとして１３００デニールのポリプロピレン糸を用いて、二重パイル織機（２枚の基材布を対向状態で製織する機器）により、経パイル織または綾織りした後、二枚に開反した。溶剤系のウレタン樹脂を主成分とする裏面コーティングを施した後、モノフィラメントの先端部分を溶融して、膨頭子体形状を有する係合素子を形成した。
【００５０】
係合素子の立設密度は、人工芝或いは天然芝用ラインテープの単位面積（６．４５cm2）約１２０本、その単位面積あたりに存在する係合素子の内約７０％以上の係合素子が上記の傾斜角度を有するように作製した。すなわち、二重パイル織時、製織温度約１６０℃下、モノフィラメントの繰り出し速度をそれぞれ５０、５１、５３、５７ｍｍ／ｍｉｎと調整しながら綾織することで、係合素子の基材布に対する傾斜角度が、９０度、８０度、７０度および６０度の雄面ファスナーを作製した。また、得られた雄面ファスナーのモノフィラメントは、膨頭子体形状の最大直径が１．０〜１．２ｍｍ、膨頭子部分の高さが０．５ｍｍ、膨頭子部分まで含めたモノフィラメント全体の長さが２．１〜２．７ｍｍ、基材布の布地の厚みが０．５ｍｍであった。
【００５１】
また、係合素子は、面ファスナーの単位面積あたり約８５％以上の係合素子がそれぞれ上記の傾斜角度を有した。
【００５２】
２．雌面ファスナー
雌面ファスナーとして、ループ状係合素子を基材布一面に設けたものを用いた。ループ高さは約２ｍｍである。
【００５３】
３．評価方法
引っ張り試験機によるＴ型剥離試験（JIS L3416；2000、7.4.2）に従って、上記１．の面ファスナーおよび芝に見立てた２．に示した面ファスナーを貼り合わせた場合の係合力（Ｘ）を測定した。係合力（Ｘ）は、５ｃｍ幅の雄および雌面ファスナーを５ｃｍ長係合させて、５ｃｍ角で係合させ、雄および雌面ファスナーのそれぞれの一端部に設けた非係合部を引っ張り試験機のつかみに装着し、引っ張り速度３０ｃｍ／ｍｉｎで相反する方向へ引っ張り、係合させていた５ｃｍ間を剥離させた。係合力は、剥離するときに示す剥離荷重の極大値を多きものから６つ、極小値の小さいものから６つをとり、１２の値の平均値Ｐを求め、剥離荷重の平均値Ｐを、ファスナーの有効幅（本試験の場合５ｃｍ）で割って、幅１ｃｍあたりの剥離強さとして算出した。５組の試験片について測定を行い、その平均値を係合力（Ｘ）として求めた。
【００５４】
３．係合確率試験
以下のようにして、芝に見立てた短冊を用い、雄面に係合される短冊数を計測して、係合確率を求めた。まず、通常紙を幅１ｍｍ、長さ１０ｍｍに切断し短冊を複数枚用意した。短冊２０枚ずつを、各角度を有するそれぞれの人工芝或いは天然芝用ラインテープの雄面５ｃｍ2上に高さ１０ｃｍより落下させた。その後、雄面を裏返して係合されていない短冊を除去し、係合した短冊の数を計測し、芝に見立てた短冊の係合確率を求めた。係合確率は、短冊２０枚中の係合した枚数の割合によって示し、３回測定した平均を算出して求めた。結果を表１に示す。
【００５５】
【表１】
2005188054.tif 000003
【００５６】
表１に示されるように、係合素子の傾斜角度によって短冊の係合頻度に違いが生じることが明らかとなった。
【００５７】
［実施例４〜１３］
モノフィラメントからなる係合素子をポリプロピレン３０００デニール（３３３３デシテックス，Ｄ＝０．６８）、地組織糸をポリエステル５００デニール（５５５デシテックス）４８フィラメント、及び１０００デニール（１１１１デシテックス）９６フィラメントを用いて、二重パイル織機（２枚のパイル布を対向状態で製織するもの）により、製織したる後、２枚に開反し、更に立設密度や素子軸長を種々変化させたそれぞれの反物について、アクリル系エマルジョンを主成分とする裏面コーティングを施した後に、パイル先端部分を溶融する方法により、係合素子として膨頭子形状をもつ布製ファスナー雄面を作成し、これを５０（mm）巾にスリットし砂及び／又はゴムチップ入人工芝或いは天然芝用ラインテープとした。
【００５８】
人工芝或いは天然芝用ラインの製造
上記「１．雄面ファスナーの製造」の欄に示した雄面ファスナー（実施例１〜８）で、係合素子の傾斜角度が７０°のものをバッキング面とする人工芝或いは天然芝用ラインを下記のようにして作製した。
【００５９】
雄面ファスナーのバッキング面と人工芝のバッキング面とを接着剤（トーヨーポリマー製、ルビロン１０１）で接着一体化した。これを５０ｍｍ巾にスリットし人工芝或いは天然芝用ラインとした。人工芝は白色に塗装が施されたものを用いた。
これら砂及び／又はゴムチップ入人工芝或いは天然芝用ラインテープの係合素子密度は、３６，５４，９０（本／６．４５cm2）、膨頭子形状は、ＤM／Ｄ＝１．８とした。また、それらの係合素子の基材布に対する傾斜角度は、単位面積当たりの係合素子数の８５％以上が同じ様な値であった。
【００６０】
これらの表１に記載の砂及び／又はゴムチップ入人工芝用ラインテープサンプルを、大塚化学株式会社製砂入人工芝（商品名ステングレー・サンドＣＬ２５）に係合させ、係合性能や敷設作業性等を総合評価した。それぞれを、５段階評価した結果を表２に示す。尚、評価基準は、下記の通りである。
【００６１】
５  非常に良好
４  かなり良好
３  良好
２  実用に耐える。
１  実用に耐えない。
【００６２】
【表２】
2005188054.tif 000004
【００６３】
表２から分かる通り、素子茎部直径（Ｄ）が０．３≦Ｄ≦０．９の範囲内であれば、実用に耐え得るラインテープが得られた。中でも、立設密度が３０〜９０本／６．４５cm2である実施例４〜８は、特に敷設作業が容易で係合力にも優れていた
【００６４】
この人工芝或いは天然芝用ラインを、ライン引き補助具である圧着ローラを用いて人工芝面或いは天然芝面に敷設したところ、周囲の人工芝面或いは天然芝面との間に段差をほとんど生じることがなく、自然な美観の競技面となった。
【産業上の利用可能性】
【００６５】
本発明は人工芝状にラインを敷設する分野において有用である。
【図面の簡単な説明】
【００６６】
【図１】本発明の一実施態様の人工芝或いは天然芝用ラインの構造を示す概略断面図である。
【図２】係合素子の形状を示す模式図である。
【図３】１対の係合素子を示す図である。
【図４】本発明の一実施形態の人工芝或いは天然芝用ラインの斜視図である。
【符号の説明】
【００６７】
１  人工芝或いは天然芝用ライン
２  シート状基材
３  ファスナー面
５  人工芝面或いは天然芝面（人工芝ライン被係合面）
６  人工芝
７  人工芝面或いは天然芝面基材
８、８１、８２  係合素子
８ａ  茎部
８ｂ  膨頭子（先端係合部）
９  ファスナー面基材
１０  裏面コーティング層
１１  人工芝糸
１２  人工芝糸面
Ｌ  係合素子の長さ
Ｄ  係合素子の直径
α  係合素子の基材面に対する傾斜角度
【図１】
2005188054.tif 000005
【図２】
2005188054.tif 000006
【図３】
2005188054.tif 000007
【図４】
2005188054.tif 000008